(57)【要約】【課題】電流制限保護配線、電圧調整制御配線を経由後にブラシレスモーター駆動回路に給電するためブラシレスモーターの運転を安定させられるブラシレスモーターシーリングファンの制御配線構造を提供する。【解決手段】ブラシレスモーターシーリングファンの制御配線構造は、シーリングファン(或いはファン)のモーター制御を、よりいっそう実用的とし、高周波フィルター回路1、整流回路2、力率(Power factor)向上回路3、電流制限及び電圧調整回路4からなり、高周波フィルター回路1により、高周波ノイズによる干渉を抑制し、力率(Power factor)向上回路3により、力率(Power factor)を向上させ節電効果を達成し、電流制限及び電圧調整回路4により、電流制限を起動し、オーバーロード時には保護して安全性を向上させ、電圧調整と回転速度の調整により、運転時に振動しないという効果を達成することができる。【選択図】図１
0003169087.tif 000002
【実用新案登録請求の範囲】
【請求項１】
ブラシレスモーターシーリングファンの制御配線構造は、高周波フィルター回路、整流回路、力率(Power factor)向上回路、電流制限及び電圧調整回路、ブラシレスモーター駆動回路からなり、
該高周波フィルター回路には、フィルター、サージ吸収器、キャパシターを設置し、高周波ノイズをろ過することができ、
該整流回路は、数個のダイオードからなり、交流電源を整流して直流電源とすることができ、
該力率(Power factor)向上回路は、数個のダイオードと２個のキャパシターからなり、該２個のキャパシターの不揃い充電、放電により、補償作用を形成し、力率(Power factor)を高め、
該電流制限及び電圧調整回路には、定電流駆動チップ、トランジスター、ツェナーダイオード(Zener diode)、光結合素子、調整可能レジスター、電界効果トランジスター、電流探知レジスターを設置し、
該定電流駆動チップには、電流制御端子、電圧制御端子を設置し、これにより該電界効果トランジスターの導通と切断を制御することができ、電流を制限してオーバーロードからの保護を形成し、電圧を調整して、定電圧での給電を行い、
該ブラシレスモーター駆動回路には、モーター駆動チップを設置し、該ブラシレスモーターと連接し、これにより該ブラシレスモーターは運転することを特徴とするブラシレスモーターシーリングファンの制御配線構造。
【請求項２】
前記電流制限及び電圧調整回路は、プログラマブルチップに連接可能で、これによりタッチ制御、或いは無線リモコン信号受信の制御を行うことを特徴とする請求項１に記載のブラシレスモーターシーリングファンの制御配線構造。
【考案の詳細な説明】
【技術分野】
【０００１】
本考案はブラシレスモーターシーリングファンの制御配線構造に関し、特に先ず電流制限保護配線、電圧調整制御配線を経由後、ブラシレスモーター駆動回路に給電し、これによりブラシレスモーターは安定的に運転するブラシレスモーターシーリングファンの制御配線構造に関する。
【背景技術】
【０００２】
従来のシーリングファンのブラシレスモーターにおいて、低圧モーターを採用している場合には、スイッチを設置する必要があり、これにより電源を制御する。
そのため、相対的に体積が大きく、コストも高く、しかも電流制限のメカニズムがなく、高周波の干渉抑制と力率(Power factor)向上の配線構造機能もない。
すなわち、その力率(Power factor)は相対的に低いため、どちらかというと電力を浪費してしまう。
【０００３】
一方、高圧モーターを採用するなら、コントローラーを直接家庭用電源に接続する。
そのため、コントローラーが故障、或いはモーターが空回り、ショート、オープンフェーズ時には、電界効果トランジスター(MOS管と別称)を毀損し易く、深刻な場合には、燃えてしまうこともある。
【０００４】
既存のブラシレスモーター回転速度制御には、パルス幅変調(PWM)方式を用い、パルスデューティ比により速度を変える。
低速時には、高圧反発(同性)パルスは、迅速に、ローターを次の磁極へと押し、次の磁極により吸着される。
回転速度を制御するためには、ある程度の時間の停止が必要である。
こうして初めて、コントローラーはフェーズを換え(磁場を変え)て、反発により、次の磁極へと押すことができる。
こうして磁場は交換されるが、これにより速度は速くなったり遅くなったりし、ファンのブレードが振動して、大きな騒音を発してしまう。
本考案は、従来のシーリングファンのブラシレスモーターの上記した欠点に鑑みてなされたものである。
【先行技術文献】
【特許文献】
【０００５】
【特許文献１】特開２００１−２８６１８７号公報
【考案の概要】
【考案が解決しようとする課題】
【０００６】
本考案が解決しようとする第一の課題は、ダイオード、キャパシターを備える力率(Power factor)向上回路を設置し、キャパシター補償効果を形成することができ、力率(Power factor)を向上させて、節電効果を達成するブラシレスモーターシーリングファンの制御配線構造を提供することである。
本考案が解決しようとする第二の課題は、トランジスター、光結合素子、電界効果トランジスター(MOS管)、ツェナーダイオード(Zener diode)、定電流駆動チップ(LED駆動チップ「FT870Aチップ」を通用)、高周波コイル、調整可能レジスター、電流制限及び電圧調整回路を設置し、これによりモーター電流を制御し起動を制限でき、電圧を調整して回転速度を制御でき、及び定電圧輸出が可能で、電流制限及び電圧調整回路は、パルス幅変調(PWM)のパルスの大きさにより速度を換えられ、デューティ比は、永遠にゼロであるため、ブラシレスモーターの回転は安定し、振動による騒音の問題が存在しないブラシレスモーターシーリングファンの制御配線構造を提供することである。
【課題を解決するための手段】
【０００７】
上記課題を解決するため、本考案は下記のブラシレスモーターシーリングファンの制御配線構造を提供する。
ブラシレスモーターシーリングファンの制御配線構造は、先ず電流制限保護配線、電圧調整制御配線を経由後、ブラシレスモーター駆動回路に給電し、これによりブラシレスモーターは安定的に運転する。
本考案は下記の特徴を有する。
（１）ブラシレスモーターシーリングファンの制御配線構造は、高周波フィルター回路、整流回路、力率(Power factor)向上回路、電流制限及び電圧調整回路、ブラシレスモーター駆動回路からなり、
該高周波フィルター回路には、フィルター、サージ吸収器、キャパシターを設置し、高周波ノイズをろ過することができ、
該整流回路は、数個のダイオードからなり、交流電源を整流して直流電源とすることができ、
該力率(Power factor)向上回路は、数個のダイオードと２個のキャパシターからなり、該２個のキャパシターの不揃い充電、放電により、補償作用を形成し、力率(Power factor)を高め、
該電流制限及び電圧調整回路には、定電流駆動チップ、トランジスター、ツェナーダイオード(Zener diode)、光結合素子、調整可能レジスター、電界効果トランジスター、電流探知レジスターを設置し、
該定電流駆動チップには、電流制御端子、電圧制御端子を設置し、これにより該電界効果トランジスターの導通と切断を制御することができ、電流を制限してオーバーロードからの保護を形成し、電圧を調整して、定電圧での給電を行い、
該ブラシレスモーター駆動回路には、モーター駆動チップを設置し、該ブラシレスモーターと連接し、これにより該ブラシレスモーターは運転することを特徴とするブラシレスモーターシーリングファンの制御配線構造。
（２）前記電流制限及び電圧調整回路は、プログラマブルチップに連接可能で、これによりタッチ制御、或いは無線リモコン信号受信の制御を行うことを特徴とする（１）に記載のブラシレスモーターシーリングファンの制御配線構造。
【考案の効果】
【０００８】
本考案のブラシレスモーターシーリングファンの制御配線構造は、シーリングファンのモーター制御を、よりいっそう実用的とし、高周波フィルター回路により、高周波ノイズによる干渉を抑制し、力率(Power factor)向上回路により、力率(Power factor)を向上させ節電効果を達成し、電流制限及び電圧調整回路により、電流制限を起動し、オーバーロード時には保護して安全性を向上させ、電圧調整と回転速度の調整により、運転時に振動しないという効果を達成することができる。
【図面の簡単な説明】
【０００９】
【図１】本考案の配線構造図である。
【考案を実施するための形態】
【００１０】
以下に図面を参照しながら本考案を実施するための最良の形態について詳細に説明する。
【実施例】
【００１１】
図１に示すように、本考案ブラシレスモーターシーリングファンの制御配線構造は、高周波フィルター回路1、整流回路2、力率(Power factor)向上回路3、電流制限及び電圧調整回路4、ブラシレスモーター駆動回路5からなる。
【００１２】
該高周波フィルター回路1には、フィルターRL、サージ吸収器RV、フィルターキャパシターC1を設置し、高周波ノイズをろ過することができる。
【００１３】
該整流回路2は、数個のダイオードD1、D2、D3、D4からなり、交流電源を整流して直流電源とすることができる。
【００１４】
該力率(Power factor)向上回路3には、数個のダイオードD5、D6、D7及び２個のキャパシターC3、C4を設置し、該２個のキャパシターの不揃い充電、放電により、補償作用を形成し、力率(Power factor)を高めることができる。
【００１５】
該電流制限及び電圧調整回路4には、トランジスターQ1、ツェナーダイオード(Zener diode)Z1、光結合素子G、調整可能レジスターVR、高周波コイルL1、定電流駆動チップU1(ここでは「FT870Aチップ」を採用)、電界効果トランジスターQ2(MOS管と別称)、電流探知レジスターR1を設置する。
【００１６】
該ブラシレスモーター駆動回路5には、モーター駆動チップU3を設置し、該モーター駆動チップU3は、ブラシレスモーターMと連接する。
【００１７】
本考案は、定電流駆動チップU1の機能(ここでは「FT870Aチップ」を採用)を利用し、ブラシレスモーター駆動回路5の電流制限電圧調整電源とする。
【００１８】
定電流駆動チップU1の電流制御端子CSにより、電流探知レジスターR1端電流を探知する。
【００１９】
電流値が制限を超えた時には、電界効果トランジスターQ2(MOS管)を制御して電源を切断させる(ブラシレスモーター最高回転速度電流)。
【００２０】
電流値が制限を超えない時には、電界効果トランジスターQ2(MOS管)を制御して通電させ、こうして電流制限によるオーバーロード防止の効果を達成する。
【００２１】
定電流駆動チップU1の電圧制御端子LDにより、レジスターR2、レジスターR3と調整可能レジスターVRの分圧が、トランジスターQ1を経て拡大され、ツェナーダイオード(Zener diode)Z1の電圧を超えると、ツェナーダイオード(Zener diode)Z1は導通する。
【００２２】
R4はいくらか電流を制限し、これにより光結合素子Gは導通し、その出力は、定電流駆動チップU1の電圧制御端子LDの電圧を低くし、定電流駆動チップU1は電界効果トランジスターQ2(MOS管)の電源を切断する。
【００２３】
しかし、ツェナーダイオード(Zener diode)Z1の電圧を超過しないなら、ツェナーダイオード(Zener diode)Z1は導通せず、光結合素子Gも導通せず、電圧制御端子LDの電圧は高くなり、定電流駆動チップU1は電界効果トランジスターQ2を通電させる。
【００２４】
これにより、調整可能レジスターVRの電圧調整を形成し、しかも一定の電圧で、ブラシレスモーター駆動回路5に給電してモーターを運転させることができる。
【００２５】
本考案はまた、プログラマブルチップU2を増設することができ、該プログラマブルチップU2は、電流制限及び電圧調整回路4に連接し(図１参照)、タッチ制御可能とし、或いは無線または赤外線リモコン信号を受信し、違った回転速度、停止、起動信号、或いは次に起動する際の記憶をタッチ制御或いはリモコン操作する。
【００２６】
上記の本考案名称と内容は、本考案技術内容の説明に用いたのみで、本考案を限定するものではない。本考案の精神に基づく等価応用或いは部品(構造)の転換、置換、数量の増減はすべて、本考案の保護範囲に含むものとする。
【産業上の利用可能性】
【００２７】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２８】
1  高周波フィルター回路
2  整流回路
3  力率(Power factor)向上回路
4  電流制限及び電圧調整回路
5  ブラシレスモーター駆動回路
Q1  トランジスター
Q2  電界効果トランジスター
Z1  ツェナーダイオード(Zener diode)
L1  高周波コイル
G  光結合素子
M  ブラシレスモーター
VR  調整可能レジスター
RL  フィルター
U1  定電流駆動チップ
U2  プログラマブルチップ
U3  モーター駆動チップ
RV  サージ吸収器
R1  電流探知レジスター
R2、R3  レジスター
LD  電圧制御端子
CS  電流制御端子
【図１】
0003169087.tif 000003
【手続補正書】
【提出日】平成23年5月5日(2011.5.5)
【手続補正１】
【補正対象書類名】実用新案登録請求の範囲
【補正対象項目名】請求項１
【補正方法】変更
【補正の内容】
【請求項１】
ブラシレスモーターシーリングファンの制御配線構造は、高周波フィルター回路、整流回路、力率(Power factor)向上回路、電流制限及び電圧調整回路、ブラシレスモーター駆動回路からなり、
該高周波フィルター回路には、フィルター、サージ吸収器、キャパシターを設置し、高周波ノイズをろ過することができ、
該整流回路は、該高周波フィルター回路に連接し、数個のダイオードからなり、交流電源を整流して直流電源とすることができ、
該力率(Power factor)向上回路は、該整流回路に連接し、数個のダイオードと２個のキャパシターからなり、該２個のキャパシターの不揃い充電、放電により、補償作用を形成し、力率(Power factor)を高め、
該電流制限及び電圧調整回路は、該力率(Power factor)向上回路に連接し、定電流駆動チップ、トランジスター、ツェナーダイオード(Zener diode)、光結合素子、調整可能レジスター、電界効果トランジスター、電流探知レジスターを設置し、
該定電流駆動チップには、電流制御端子、電圧制御端子を設置し、これにより該電界効果トランジスターの導通と切断を制御することができ、電流を制限してオーバーロードからの保護を形成し、電圧を調整して、定電圧での給電を行い、
該ブラシレスモーター駆動回路は、該電流制限及び電圧調整回路に連接し、モーター駆動チップを設置し、該ブラシレスモーターと連接し、これにより該ブラシレスモーターは運転することを特徴とするブラシレスモーターシーリングファンの制御配線構造。
【手続補正２】
【補正対象書類名】明細書
【補正対象項目名】００１３
【補正方法】変更
【補正の内容】
【００１３】
該整流回路2は、該高周波フィルター回路1に連接し、数個のダイオードD1、D2、D3、D4からなり、交流電源を整流して直流電源とすることができる。
【手続補正３】
【補正対象書類名】明細書
【補正対象項目名】００１４
【補正方法】変更
【補正の内容】
【００１４】
該力率(Power factor)向上回路3には、該整流回路2に連接し、数個のダイオードD5、D6、D7及び２個のキャパシターC3、C4を設置し、該２個のキャパシターの不揃い充電、放電により、補償作用を形成し、力率(Power factor)を高めることができる。
【手続補正４】
【補正対象書類名】明細書
【補正対象項目名】００１５
【補正方法】変更
【補正の内容】
【００１５】
該電流制限及び電圧調整回路4には、該力率(Power factor)向上回路3に連接し、トランジスターQ1、ツェナーダイオード(Zener diode)Z1、光結合素子G、調整可能レジスターVR、高周波コイルL1、定電流駆動チップU1(ここでは「FT870Aチップ」を採用)、電界効果トランジスターQ2(MOS管と別称)、電流探知レジスターR1を設置する。
【手続補正５】
【補正対象書類名】明細書
【補正対象項目名】００１６
【補正方法】変更
【補正の内容】
【００１６】
該ブラシレスモーター駆動回路5には、該電流制限及び電圧調整回路4に連接し、モーター駆動チップU3を設置し、該モーター駆動チップU3は、ブラシレスモーターMと連接する。